(57)【要約】【課題】オゾン発生装置が屋外に配置されても、オゾン発生装置内に水が浸入することを防止することができ、且つ、オゾン発生装置内の温度が上昇してオゾン発生装置に不具合が生じることを防止することができる、オゾン発生装置を提供することを課題とする。【解決手段】オゾンガスを発生させる、オゾン発生装置１であって、密閉構造とされるとともに、オゾン発生装置１内を冷却するように構成される調温部６を具備するオゾン発生装置１とする。【選択図】図１
2014224019.tif 000002
【特許請求の範囲】
【請求項１】
オゾンガスを発生させる、オゾン発生装置であって、
密閉構造とされるとともに、オゾン発生装置内を冷却するように構成される調温部を具備する、
オゾン発生装置。
【請求項２】
前記調温部から前記オゾン発生装置内に供給された前記冷気が、前記オゾン発生装置内から前記調温部に排出されて、前記調温部と前記オゾン発生装置内とを循環して、前記オゾン発生装置内を冷却するように構成される、
請求項１に記載のオゾン発生装置。
【請求項３】
前記調温部は、低温状態のときに前記オゾン発生装置内を昇温させるように構成される、
請求項１または請求項２に記載のオゾン発生装置。
【請求項４】
直射日光を遮って前記オゾン発生装置に直射日光があたらないように構成される日よけ部を具備する、
請求項１から請求項３のいずれか一項に記載のオゾン発生装置。
【発明の詳細な説明】
【技術分野】
【０００１】
本発明は、オゾン発生装置の技術に関する。
【背景技術】
【０００２】
従来、オゾン（Ｏ３）ガスを発生させるオゾン発生装置に関する技術は種々知られている。
前記オゾン発生装置には、例えば、その内部（筐体内）に、オゾン反応器、ＰＳＡ式（Ｐｒｅｓｓｕｒｅ  Ｓｗｉｎｇ  Ａｄｓｏｒｐｔｉｏｎ）酸素発生装置、および、高圧電源等が配置されて構成されるものが公知となっている（特許文献１参照）。
【先行技術文献】
【特許文献】
【０００３】
【特許文献１】特開平１１−２９２５１４号公報
【発明の概要】
【発明が解決しようとする課題】
【０００４】
しかしながら、前記オゾン発生装置では、投入電源のうち多くのもの（例えば、投入電源の８０％）が熱となるため、前記オゾン発生装置のオゾンガスを発生させる動作が開始されると、前記オゾン発生装置内（筐体内）の温度が次第に上昇していくこととなる。
そして、前記オゾン発生装置では、その筐体（外面）に放熱用のスリットが設けられて、放熱用のスリットから放熱できるようにして、オゾン発生装置内の温度が上昇することを防止している。
もっとも、前記オゾン発生装置では、これが屋外に配置されると、前記オゾン発生装置に放熱用のスリットが設けられることから、放熱用のスリットから前記オゾン発生装置内に水（雨水）が浸入するという問題があった。
また、前記オゾン発生装置では、放熱用のスリットから前記オゾン発生装置内に水が浸入するこをと防止するために放熱用のスリットを設けない構成とした場合には、前記オゾン発生装置内の温度が上昇して前記オゾン発生装置に不具合が生じるという問題があった。
【０００５】
本発明は以上の如き状況に鑑みてなされたものであり、オゾン発生装置が屋外に配置されても、オゾン発生装置内に水が浸入することを防止することができ、且つ、オゾン発生装置内の温度が上昇してオゾン発生装置に不具合が生じることを防止することができるオゾン発生装置を提供することを課題とする。
【課題を解決するための手段】
【０００６】
本発明の解決しようとする課題は以上の如くであり、次にこの課題を解決するための手段を説明する。
【０００７】
即ち、請求項１においては、オゾンガスを発生させる、オゾン発生装置であって、密閉構造とされるとともに、オゾン発生装置内を冷却するように構成される調温部を具備するものである。
【０００８】
請求項２においては、前記調温部から前記オゾン発生装置内に供給された前記冷気が、前記オゾン発生装置内から前記調温部に排出されて、前記調温部と前記オゾン発生装置内とを循環して、前記オゾン発生装置内を冷却するように構成されるものである。
【０００９】
請求項３においては前記調温部は、低温状態のときに前記オゾン発生装置内を昇温させるように構成されるものである。
【００１０】
請求項４においては、直射日光を遮って前記オゾン発生装置に直射日光があたらないように構成される日よけ部を具備するものである。
【発明の効果】
【００１１】
本発明の効果として、以下に示すような効果を奏する。
即ち、本発明によれば、オゾン発生装置が屋外に配置されても、オゾン発生装置内に水が浸入することを防止することができ、且つ、オゾン発生装置内の温度が上昇してオゾン発生装置に不具合が生じることを防止することができる。
【図面の簡単な説明】
【００１２】
【図１】本発明の実施形態に係るオゾン発生装置の全体的な構成を示したブロック図。
【図２】同じくオゾン発生装置の全体的な構成を示したブロック図。
【発明を実施するための形態】
【００１３】
次に、本発明の実施形態に係るオゾン発生装置１について、図１または図２を用いて説明する。
【００１４】
オゾン発生装置１は、オゾン（Ｏ３）ガスを発生させるものである。
オゾン発生装置１は、オゾン発生装置１において発生させたオゾンガスを、例えば、オゾン供給管を介して酸化処理室に接続されて、オゾン供給管を介して酸化処理室に供給するように構成される。
オゾン発生装置１は、屋外に配置される。オゾン発生装置１は、屋外に配置された状態でオゾンガスを発生させる動作が行われる。
図１に示すように、オゾン発生装置１は、オゾン発生装置１内（オゾン発生装置１の筐体２内）に、オゾン反応器３、ＰＳＡ式（Ｐｒｅｓｓｕｒｅ  Ｓｗｉｎｇ  Ａｄｓｏｒｐｔｉｏｎ）酸素発生装置４、および、高圧電源５等が配置されて構成される。
オゾン発生装置１（オゾン反応器３）には、酸素に放電することによりオゾンガスを発生するもの（放電式オゾン発生装置）、または、酸素に紫外線を照射することによってオゾンガスを発生するもの（紫外線式オゾン発生装置）等がある。
【００１５】
オゾン発生装置１は、調温部６と、供給管７と、排出管８と、日よけ部９と、具備する。
【００１６】
オゾン発生装置１の調温部６は、オゾン発生装置１内（オゾン発生装置１の筐体２内）の温度を調温するように構成される。
調温部６は、冷気を発生させるように構成される。
調温部６は、オゾン発生装置１内に冷気を供給して、オゾン発生装置１内を冷却する（降温させる）ように構成される。
【００１７】
オゾン発生装置１は、オゾン発生装置１内と調温部６とが供給管７を介して接続されて構成される。
オゾン発生装置１は、調温部６において発生された冷気が供給管７を介して調温部６からオゾン発生装置１内に供給されて、オゾン発生装置１内が冷却されるように構成される。オゾン発生装置１は、調温部６において発生された冷気が供給管７を介して調温部６からオゾン発生装置１内に供給されて、オゾン発生装置１内（オゾン発生装置１内の温度）を降温（例えば、オゾン発生装置１内の温度を３５℃±５℃の温度に降温）させるように構成される。
【００１８】
オゾン発生装置１は、オゾン発生装置１が屋外に配置されたときにおいても隙間からオゾン発生装置１内に水（雨水）が浸入しないように密閉構造（水密構造）とされる。
オゾン発生装置１は、その筐体２の隙間（筐体２を構成する部材同士の勘合部分または結合部分）にパッキンが設けられて、密閉構造とされる。
【００１９】
以上のように、密閉構造とされるとともに、オゾン発生装置１内を冷却するように構成される調温部６を具備する、オゾン発生装置１では、オゾン発生装置１が屋外に配置されても、密閉構造とされることから、オゾン発生装置１内に水が浸入することを防止することができ、且つ、調温部６によってオゾン発生装置１内を冷却することから、オゾン発生装置１内の温度が上昇してオゾン発生装置１に不具合が生じることを防止することができる。
【００２０】
また以上のように、オゾン発生装置１内を冷却するように構成される調温部６を具備する、オゾン発生装置１では、オゾン発生装置１内の温度（オゾン反応器３の周辺温度）が上昇することを抑制する（また、オゾン発生装置１内の温度を低下させる）ことができ、オゾン発生装置１内を冷却するように構成されないものに比べてオゾン発生装置１のオゾン発生量を増加させることができる。
【００２１】
オゾン発生装置１は、オゾン発生装置１内と調温部６とが排出管８を介して接続されて構成される。
オゾン発生装置１は、調温部６から供給管７を介してオゾン発生装置１内に供給された冷気がオゾン発生装置１内から排出管８を介して調温部６に排出されるように構成される。
オゾン発生装置１は、オゾン発生装置１を密閉構造にして、供給管７および排出管８を介して、調温部６とオゾン発生装置１内とを冷気が循環するように構成される。
【００２２】
以上のように、調温部６から供給管７を介してオゾン発生装置１内に供給された冷気が、オゾン発生装置１内から排出管８を介して調温部６に排出されて、調温部６とオゾン発生装置１内とを循環して、オゾン発生装置１内を冷却するように構成される、オゾン発生装置１では、調温部６とオゾン発生装置１内とを冷気が循環して、オゾン発生装置１内が冷却される。
したがって、オゾン発生装置１によれば、調温部６とオゾン発生装置１内とを冷気が循環しないものに比べて、オゾン発生装置１内を効率良く冷却することができる。
【００２３】
オゾン発生装置１の日よけ部９は、直射日光を遮って、オゾン発生装置１（オゾン発生装置１の筐体２）に直射日光があたらないように構成される。
日よけ部９は、板状の部材であって、オゾン発生装置１（オゾン発生装置１の筐体２および調温部６）の上方に配置される。日よけ部９は、オゾン発生装置１の上方を覆うようにして配置される。
【００２４】
以上のように、直射日光を遮って、オゾン発生装置１（オゾン発生装置１の筐体２）に直射日光があたらないように構成される日よけ部９を具備する、オゾン発生装置１では、オゾン発生装置１（オゾン発生装置１の筐体２）に直射日光があたらないようにすることができる。
したがって、オゾン発生装置１によれば、直射日光を遮って、直射日光によってオゾン発生装置１内の温度が上昇することを防止することができる。
【００２５】
図２に示すように、オゾン発生装置１の調温部６は、低温状態のとき（例えば、外気温度が−１０℃のとき）に、オゾン発生装置１内に暖気を供給して、オゾン発生装置１内を昇温させるように構成される。
オゾン発生装置１の調温部６は、ヒータ１０と、暖気供給管１１と、を備え、オゾン発生装置１内と調温部６とが暖気供給管１１を介して接続されて構成される。
オゾン発生装置１は、調温部６のヒータ１０において発生された暖気が暖気供給管１１を介して調温部６からオゾン発生装置１内に供給されて、オゾン発生装置１内（オゾン発生装置１内の温度）を昇温（例えば、オゾン発生装置１内の温度を３５℃±５℃の温度に昇温）させるように構成される。
【００２６】
以上のように、調温部６が、低温状態のときにオゾン発生装置１内を昇温させるように構成される、オゾン発生装置１では、低温状態のときにオゾン発生装置１内の温度を昇温させた後にオゾンガスを発生する動作を行うことができる。
したがって、オゾン発生装置１によれば、このように低温状態のときにオゾン発生装置１内の温度を昇温させた後にオゾンガスを発生する動作を行うことにより、低温状態のときにオゾンガスを発生する動作を開始した際に動作不良が生じることを防止することができる。
【００２７】
また、オゾン発生装置１の調温部６が、暖気を発生させるように構成されるヒータ１０と、冷気を発生させるように構成されるクーラ（不図示）と、を備え、暖気を発生させる機能（ヒータ１０）と冷気を発生させる機能（クーラ）とが別体に構成されてることにより、オゾン発生装置１をコンパクトに構成することができる。
【００２８】
オゾン発生装置１は、冷却ホース１２を具備する。
冷却ホース１２は、その内部（冷却ホース１２内）を冷却水が流通することによって、オゾン発生装置１内を冷却するように構成される。
冷却ホース１２は、オゾン発生装置１の筐体２の外側に巻きつけられるように配置される。
【００２９】
以上のように、冷却水が流通することによってオゾン発生装置１内を冷却するように構成される冷却ホース１２を具備する、オゾン発生装置１では、冷却ホース１２内を冷却水が流通することによってオゾン発生装置１内を冷却する。
したがって、オゾン発生装置１によれば、オゾン発生装置１内の温度が上昇することを防止することができる。
【符号の説明】
【００３０】
１    オゾン発生装置
２    筐体
３    オゾン反応器
４    ＰＳＡ式酸素発生装置
５    高圧電源
６    調温部
７    供給管
８    排出管
９    日よけ部
【図１】
2014224019.tif 000003
【図２】
2014224019.tif 000004